(57)【特許請求の範囲】
【請求項１】
レンズの表面を覆うように開閉可能な第１の羽根部材と、
前記第１の羽根部材と共に移動する第２の羽根部材と、
前記第１の羽根部材及び前記第２の羽根部材とは異なる部材に設けられた共通係合部と、
一端が前記共通係合部に係合し、他端が前記第１の羽根部材の第１係合部に係合することにより前記第１の羽根部材に付勢力を与える第１の付勢部材と、
一端が前記第１の付勢部材が係合する前記共通係合部に係合し、他端が前記第２の羽根部材の第２係合部に係合することにより前記第２の羽根部材に付勢力を与える第２の付勢部材と、を有するバリア装置であって、
前記第１の付勢部材及び前記第２の付勢部材は、前記第１の付勢部材により前記共通係合部が受ける付勢力の方向と、前記第２の付勢部材により前記共通係合部が受ける付勢力の方向とが打ち消し合う方向となるように配置され、前記共通係合部は、前記レンズの光軸方向から見たときに、前記第１係合部と前記第２係合部とに挟まれる位置に配置されており、
前記共通係合部は、前記第１の羽根部材及び前記第２の羽根部材の開閉の際に、前記第１係合部と前記第２係合部との位置の関係が変化し、前記共通係合部と前記第１係合部とが離れるときには、前記共通係合部と前記第２係合部とが近づき、前記共通係合部と前記第１係合部とが近づくときには、前記共通係合部と前記第２係合部とが離れることを特徴とするバリア装置。
【請求項２】
請求項１に記載のバリア装置において、
前記第１の羽根部材及び前記第２の羽根部材の前記レンズの表面を覆う部分と、前記第１の付勢部材及び前記第２の付勢部材とは、少なくとも一部が前記レンズの光軸に沿った方向の位置が重なるように配置されていることを特徴とするバリア装置。
【請求項３】
請求項１または請求項２に記載のバリア装置において、
前記第１の付勢部材及び前記第２の付勢部材は、前記第１の羽根部材及び前記第２の羽根部材よりも被写体側に配置されていることを特徴とするバリア装置。
【請求項４】
請求項１から請求項３までのいずれか１項に記載のバリア装置において、
前記第２の付勢部材は、前記第１の付勢部材に追従して開閉動作を行うことを特徴とするバリア装置。
【請求項５】
請求項１から請求項４までのいずれか１項に記載のバリア装置において、
前記第１の羽根部材及び前記第２の羽根部材は、２対設けられていることを特徴とするバリア装置。
【請求項６】
請求項１から請求項５までのいずれか１項に記載のバリア装置において、
前記第１の付勢部材及び前記第２の付勢部材は、コイルスプリングで形成されていることを特徴とするバリア装置。
【請求項７】
撮影光学系と、前記撮影光学系のレンズよりも被写体側に配置された請求項１から請求項６までのいずれか１項に記載のバリア装置とを備えるレンズ鏡筒。
【請求項８】
請求項７に記載のレンズ鏡筒と、前記レンズ鏡筒により得られる像を撮像する撮像部とを備える撮像装置。
【発明の詳細な説明】
【技術分野】
【０００１】
本発明は、撮影レンズの前面に配置されるカメラのバリア装置、これを備えたレンズ鏡筒及びカメラに関するものである。
【背景技術】
【０００２】
近年のカメラは、自動化、コンパクト化が進み、便利で高機能なものになってきている。撮影レンズ前面に配置されたバリア装置もその一つであり、ズーム機構や沈胴機構と連動して自動的に収納状態ではバリアが閉じる方式のものが主流になってきている。
また、カメラの小型化が進むと、撮影レンズを保持する鏡筒も益々小径化し、２枚の羽根部材では覆い切れなくなり、４枚の羽根部材を用いて構成するものも開発されている（例えば、特許文献１）。
【０００３】
このような従来のバリア装置は、撮影レンズ前面に開閉可能に取り付けられた大小２対の羽根部材と、羽根部材を開閉させるバリア駆動手段とを有している。羽根部材は、撮影レンズの光軸と略直交する同一面上で開閉するように構成された主羽根部材と副羽根部材から成り、副羽根部材は、主羽根部材の動きに追従して開閉するように構成されている。主羽根部材と副羽根部材との間には、それぞれの羽根部材を閉方向または開方向に付勢する一つのばね部材が掛けられており、ばね部材がバリア駆動手段の一部を成す。
【０００４】
また、特許文献２に開示されたバリア装置では、２つのバリア羽根を１つの軸で軸支し、２つのバリア羽根の各々に閉じ方向の付勢力を与えるばね部材を備えている。さらに、特許文献２のバリア装置は、上記一方の２つのバリア羽根と他方の２つのバリア羽根とを上記ばね部材のばね勢力に抗して開放させる各カムを設けたリング状のバリア駆動部材を備えている。
【特許文献１】特開２００１−０８３５７５号公報
【特許文献２】特開２００２−１４８６８２号公報
【発明の開示】
【発明が解決しようとする課題】
【０００５】
ところで、特許文献１で開示されているバリア装置は、主羽根部材と副羽根部材をそれぞれ２つ有し、合計４枚の羽根部材を有している。このようなバリア装置では、限られたスペース中に４枚の羽根部材と、これらを駆動する機構が配置されるので、設計自由度が少なく、小型化の障害にもなってしまう場合が多い。
また、限られたスペース中にバネを掛ける係合部を設けるが、小型化を優先すると係合部に十分なスペースを割くことが難しい。そして、係合部を小型にした場合、バネの付勢力により係合部が変形したり、折れたりする可能性が高くなり、信頼性が低下するおそれがあった。
さらに、従来のバリア装置では、多数の小さな部品にバネを掛けながら組立てる必要があり、部品の配置によっては、組み立て作業が困難となる場合があった。
【０００６】
本発明の課題は、設計自由度が高く、小型のバリア装置、レンズ鏡筒、カメラを提供することである。
また、本発明の第２の課題は、信頼性の高いバリア装置、レンズ鏡筒、カメラを提供することである。
さらに、本発明の第３の課題は、組立てが容易なバリア装置、レンズ鏡筒、カメラを提供することである。
【課題を解決するための手段】
【０００７】
本発明の第１の側面としてのバリア装置は、レンズの表面を覆うように開閉可能な第１の羽根部材と、前記第１の羽根部材と共に移動する第２の羽根部材と、前記第１の羽根部材及び前記第２の羽根部材とは異なる部材に設けられた共通係合部と、一端が前記共通係合部に係合し、他端が前記第１の羽根部材の第１係合部に係合することにより前記第１の羽根部材に付勢力を与える第１の付勢部材と、一端が前記第１の付勢部材が係合する前記共通係合部に係合し、他端が前記第２の羽根部材の第２係合部に係合することにより前記第２の羽根部材に付勢力を与える第２の付勢部材とを有する。前記第１の付勢部材及び前記第２の付勢部材は、前記第１の付勢部材により前記共通係合部が受ける付勢力の方向と、前記第２の付勢部材により前記共通係合部が受ける付勢力の方向とが打ち消し合う方向となるように配置され、前記共通係合部は、前記レンズの光軸方向から見たときに、前記第１係合部と前記第２係合部とに挟まれる位置に配置されており、前記共通係合部は、前記第１の羽根部材及び前記第２の羽根部材の開閉の際に、前記第１係合部と前記第２係合部との位置の関係が変化し、前記共通係合部と前記第１係合部とが離れるときには、前記共通係合部と前記第２係合部とが近づき、前記共通係合部と前記第１係合部とが近づくときには、前記共通係合部と前記第２係合部とが離れる。
【０００８】
本発明の第２の側面としてのレンズ鏡筒は、撮影光学系と、前記撮影光学系のレンズよりも被写体側に配置された本発明の第１の側面としてのバリア装置とを備える。
【０００９】
本発明の第３の側面としてのカメラは、本発明の第２の側面としてのレンズ鏡筒と、前記レンズ鏡筒により得られる像を撮像する撮像部とを備える。
【発明の効果】
【００１０】
本発明によれば、設計自由度が高く、小型のバリア装置、レンズ鏡筒、カメラにできる。また、信頼性が高くなり、組立ても容易にできる。
【発明を実施するための最良の形態】
【００１１】
以下、本発明を実施するための最良の形態について図面等を参照して説明する。
【００１２】
図１は、本発明によるバリア装置を有したレンズ鏡筒を含むカメラの実施形態を示す図である。
なお、以下の説明では、具体的な形状、構成等を示して説明を行うが、これらは、適宜変更することができる。
また、各図中には、各図の対応を明確にして理解を容易とするために、原点は特に規定せず、単に方向を示すための座標系として、カメラを正位置としたときの上方をＹプラス方向としてＸＹＺ直交座標を設けている。ここで、正位置とは、レンズ鏡筒１０の撮影光学系の光軸（以下、単に光軸とする）が水平であり、かつ、撮影画面の長手方向が水平方向となるカメラの姿勢を示すものとする。以下、Ｙプラス方向を上、Ｚプラス方向（すなわち、光軸被写体方向）を前とする。
本実施形態のカメラ１は、内部に不図示の撮像部を備え、この撮像部に被写体像を結像する撮影光学系を有したレンズ鏡筒１０が、その略中心に配置されているデジタルカメラである。
レンズ鏡筒１０は、いわゆる沈胴式のレンズ鏡筒であり、カメラ１の電源がオフ状態のときには、図１に示すようにカメラ１の内部に収納された沈胴状態となる。この沈胴状態では、バリア主羽根２２及びバリア副羽根２３が１群レンズ２５（図３参照）を覆う閉位置となり、１群レンズ２５の前面を保護する。
【００１３】
図２は、レンズ鏡筒１０の構成の概略を示す分解斜視図である。
レンズ鏡筒１０は、１群筒１１、２群レンズホルダ１２、カム筒１３、直進ガイド筒１４、駆動筒１５、固定筒１６を備えている。
１群筒１１は、１群レンズ２５を保持し、レンズ鏡筒１０の前端部、かつ、カム筒１３及び直進ガイド筒１４の内周側に配置されている。また、１群筒１１は、バリア主羽根２２及びバリア副羽根２３を含むバリア機構をその前端部に有している。１群筒１１のバリア機構については、後述する。
２群レンズホルダ１２は、２群レンズ１２ａを保持し、１群筒１１よりもＺマイナス側、かつ、カム筒１３及び直進ガイド筒１４の内周側に配置されている。
カム筒１３は、複数のカム溝を有し、駆動筒１５及び固定筒１６の内周側に配置されている。
直進ガイド筒１４は、カム筒１３の内周側に配置され、１群筒１１、２群レンズホルダ１２の回転を規制し、これらの移動方向を光軸に沿った方向にガイドする。
駆動筒１５は、不図示の駆動源から駆動力を得て回転し、回転駆動力をカム筒１３に伝達する。
固定筒１６は、カメラ１に対して固定されており、上述の各部材を保持している。また、固定筒１６は、カム溝を有している。
【００１４】
沈胴状態と使用状態との間の動作、及び、ズーム動作では、上述したように、駆動筒１５が回転し、回転駆動力をカム筒１３に伝達する。カム筒１３は、固定筒１６に設けられたカム溝との関係により回転しながら光軸方向に沿って移動する。直進ガイド筒１４は、回転することなくカム筒１３に追従して光軸方向に沿って移動する。１群筒１１及び２群レンズホルダ１２は、カム筒１３及び直進ガイド筒１４との関係により、回転することなく光軸方向に沿って移動する。
なお、レンズ鏡筒１０には、上述した構成以外に、ＡＦレンズ群や、他の駆動機構なども存在するが、説明を省略する。
【００１５】
次に、１群筒１１の前面に設けられているバリア装置について説明する。
図３は、１群筒１１及びそれに備えられたバリア装置の構成を示す図である。
バリア装置は、バリア駆動リング２１、バリア主羽根２２、バリア副羽根２３、バリアカバー２４、１群レンズ２５、開きバネ２６、主羽根閉じバネ２７、副羽根閉じバネ２８を備えている。
【００１６】
バリア駆動リング２１は、レンズ鏡筒１０の沈胴動作、及び、繰り出し動作に連動して回転する。バリア駆動リング２１は、１群筒１１の前端部に配置され、カム筒１３の回転に連動して回転する。また、このバリア駆動リング２１は、開きバネ２６により、図中のバリア羽根が開く方向（図中反時計回り（以下、ＣＣＷ）方向）へ回転するように付勢されている。
【００１７】
バリア主羽根２２は、同一形状のものが光軸を中心として点対称となる位置に１つずつ、合計２枚配置されている。バリア主羽根２２は、閉じたときに１群レンズ２５の略半分を覆う第１の羽根部材として機能する。バリア主羽根２２は、嵌合孔２２ｆが１群筒１１に設けられた回転軸１１ａに嵌合し、回転軸１１ａを中心として回転可能となっている。また、バリア主羽根２２は、主羽根閉じバネ２７により、閉じる方向へ回転するように付勢力が与えられている。
【００１８】
バリア副羽根２３は、同一形状のものが光軸を中心として点対称となる位置に１つずつ、合計２枚配置されている。バリア副羽根２３は、閉じたときにバリア主羽根２２だけでは覆いきれない１群レンズ２５の部分を覆う第２の羽根部材として機能する。バリア副羽根２３は、嵌合孔２３ｆが１群筒１１に設けられた回転軸１１ｂに嵌合し、回転軸１１ｂを中心として回転可能となっている。また、バリア副羽根２３は、副羽根閉じバネ２８により、閉じる方向へ回転するように付勢力が与えられている。
本実施形態では、上述のバリア主羽根２２とこれに追従して開閉するバリア副羽根２３との組み合わせを２対設けることにより、１群レンズ２５の全ての表面を覆うようになっている。
【００１９】
バリアカバー２４は、バリア装置の最も前方に設けられ、バリア主羽根２２、バリア副羽根２３の光軸方向の移動を規制すると共に、レンズ鏡筒１０の外観部を形成する。
【００２０】
１群レンズ２５は、レンズ鏡筒１０が有する他のレンズ群と共に撮影光学系を形成するレンズであり、撮影光学系の中で最も被写体側に配置されているレンズ群である。
【００２１】
開きバネ２６は、１群筒１１とバリア駆動リング２１との間に掛け渡された引っ張りコイルスプリングであり、バリア駆動リング２１を図３のＣＣＷ方向（開き方向）に付勢する。
【００２２】
主羽根閉じバネ２７は、バリア駆動リング２１とバリア主羽根２２との間に掛け渡された引っ張りコイルスプリングであり、バリア主羽根２２を閉じ方向に付勢する第１の付勢部材として機能する。主羽根閉じバネ２７は、２つ設けられたバリア主羽根２２のそれぞれに対応して２つ設けられている。
【００２３】
副羽根閉じバネ２８は、バリア駆動リング２１とバリア副羽根２３との間に掛け渡された引っ張りコイルスプリングであり、バリア副羽根２３を閉じ方向に付勢する第２の付勢部材として機能する。副羽根閉じバネ２８は、２つ設けられたバリア副羽根２３のそれぞれに対応して２つ設けられている。
【００２４】
図４は、バリア駆動リング２１の形状を詳細に示した図である。
図５は、バリア駆動リング２１のバネ掛け部２１ｃの形状を詳細に示した断面図である。なお、図５は、図４中に矢印で示したＢ−Ｂ断面で示している。
図６は、バリア羽根回転軸近傍の詳細図である。
バリア駆動リング２１には、突起部２１ａ、バネ掛け部２１ｂ、２１ｃ、当接面２１ｄ、レール部２１ｅ、２１ｆが設けられている。
突起部２１ａは、カム筒１３の回転に連動して動作するためにカム筒１３のバリア駆動部１３aと当接するように、Ｚマイナス側へ突出している。バリア駆動リング２１は、沈胴時にこの突起部２１ａがカム筒１３の前方に設けられたバリア駆動部１３aと当接して回転力を得る。そして、バリア駆動リング２１は、開きバネ２６の開き方向付勢力に抗しながら、バリア閉方向（図４中のＣＷ方向）へ回転される。
【００２５】
バネ掛け部２１ｂは、開きバネ２６の一端が係合し、この開きバネ２６からＣＣＷ方向の付勢力を受ける。
バネ掛け部２１ｃは、主羽根閉じバネ２７の一端が係合し、この主羽根閉じバネ２７からＣＣＷ方向の付勢力を受ける。また、バネ掛け部２１ｃは、副羽根閉じバネ２８の一端が係合し、この副羽根閉じバネ２８からＣＷ方向の付勢力を受ける。このように、バネ掛け部２１ｃは、２本の主羽根閉じバネ２７及び副羽根閉じバネ２８が係合する共通係合部として機能している。
【００２６】
バネ掛け部２１ｃは、前方（Ｚプラス側）への位置規制の突起２１ｐと段差２１ｑを有している。これにより、主羽根閉じバネ２７は、前方への移動が規制される。また、副羽根閉じバネ２８は、同一のバネ掛け部２１ｃの前方（Ｚプラス側）に係合している主羽根閉じバネ２７により前方への移動が規制される。
【００２７】
当接面２１ｄは、バリア駆動リング２１の前面側に設けられた溝状の凹形状の側壁部分に設けられている。この当接面２１ｄが、バリア開動作時にバリア主羽根２１の駆動ピン２２ｃと当接することで、バリア駆動リング２１の回転駆動をバリア主羽根２２に伝達し、バリアが開く。
【００２８】
レール部２１ｅ、２１ｆは、バリア主羽根２２、バリア副羽根２３の光軸方向の位置を規制し、これらの動作が円滑に行われるようにガイドする。
【００２９】
図７は、バリア装置が閉じている状態を示す図である。なお、図７では、バリアカバー２４を省略して示している。
図８は、バリア装置が閉じている状態でバリア主羽根２２及びバリア副羽根２３を拡大して示した斜視図である。
図６から図８に示すように、バリア主羽根２２は、主羽根閉じバネ２７が係合する第１係合部としてバネ掛け部２２ｅを有している。
また、バリア副羽根２３は、副羽根閉じバネ２８が係合する第２係合部としてバネ掛け部２３ｅを有している。
これらバネ掛け部２２ｅ、２３ｅは、バリア駆動リング２１に設けられたバネ掛け部２１ｃを略中央として挟むように配置されている。
そして、主羽根閉じバネ２７は、一端が第１係合部としてのバネ掛け部２２ｅに係合し、他端が共通係合部としてのバネ掛け部２１ｃに係合し、バリア主羽根２２を閉じ方向に付勢している。同様に、副羽根閉じバネ２８は、一端が第２係合部としてのバネ掛け部２３ｅに係合し、他端が共通係合部としてのバネ掛け部２１ｃに係合し、バリア副羽根２３を閉じ方向に付勢している。
【００３０】
本実施形態で、主羽根閉じバネ２７及び副羽根閉じバネ２８は、バリア駆動リング２１上に一体的に設けられたバネ掛け部２１ｃに係合しているので、２つのバネ掛けを別々に設けるよりもスペースを効率よく利用することができる。
また、主羽根閉じバネ２７及び副羽根閉じバネ２８が係合するバネ掛け部２２e、２３eは、バリア駆動リング２１に設けられたバネ掛け部２１ｃを略中央として挟むように配置され、バネ掛け部２１ｃに対して、互いにほぼ反対方向へ付勢力が働くようになっている。つまり、バネ掛け部２１ｃに作用する主羽根閉じバネ２７による付勢力と副羽根閉じバネ２８による付勢力とは、互いに打ち消し合う方向に作用している。よって、バネ掛け部２１ｃに対して作用するこれら付勢力の合力は、一方向の強い力とならない。よって、小型化のためにバネ掛け部２１ｃを比較的細い形状としても、バネ掛け部２１ｃが一方へ倒れたり、折れたりすることがない。
【００３１】
バネ掛け部２１ｃは、バリアが開く行程中にバネ掛け部２２ｅに近づく方向に移動する。一方、バリアが閉じる行程中には、バネ掛け部２１ｃは、バネ掛け部２３ｅに近づく方向に移動する。よって、バリアが開閉動作する過程において、２本の主羽根閉じバネ２７、副羽根閉じバネ２８は、一方が伸びるときは、他方が縮む。また、一方が縮むときは、他方が伸びる。これにより、開きバネ２６の付勢力を少なくすることが可能となる。これについては、後述する。
【００３２】
また、図８に示すようにバリア主羽根２２、バリア副羽根２３は、それぞれ、１群レンズ２５の表面を覆う平面部分として形成されたレンズ遮蔽部２２ｄ、２３ｄを有している。
レンズ遮蔽部２２ｄとレンズ遮蔽部２３ｄとは、いずれも、光軸に垂直な同一平面上に配置されている。
図９は、図７中に矢印で示したＢ−Ｂ断面図である。
バリア主羽根２２と主羽根閉じバネ２７とは、光軸に沿った方向の位置が重なるように配置されている。図示しないが、これと同様に、バリア副羽根２３と副羽根閉じバネ２８とは、光軸に沿った方向の位置が重なるように配置されている。よって、これら、バリア主羽根２２と主羽根閉じバネ２７、及び、バリア副羽根２３と副羽根閉じバネ２８は、いずれも光軸に沿った方向の位置が重なっており、光軸に対して略同一垂直面に配置されている。これにより、光軸方向の厚みを薄くすることができる。
【００３３】
ここで、本実施形態のバリア装置の組立て方法を説明する。
まず、１群筒１１に、１群レンズ２５を接合し、バリア駆動リング２１、２本の開きバネ２６を組み込む。
次に、バリア主羽根２２の嵌合孔２２ｆ及びバリア副羽根２３の嵌合孔２３ｆを、それぞれ回転軸１１ａ、１１ｂへ嵌合させる。そして、各２本の主羽根閉じバネ２７、副羽根閉じバネ２８をバリア主羽根２２、バリア副羽根２３へ掛け、これらバネの一端をバリア駆動リング２１のバネ掛け部２１ｂへ掛ける。
最後に、バリアカバー２４を組み込むことでバリア装置部分のユニットが完成する。
このように、本実施形態では、主羽根閉じバネ２７、副羽根閉じバネ２８がバリア主羽根２２、バリア副羽根２３よりも被写体側に設けられているので、組み立て作業として難しいバネを掛ける作業を容易に行える。また、バリア装置の全てを被写体側から部品を順に組立てることができ、組み立て作業が容易である。
【００３４】
図１０は、バリア装置が開いている状態を示す図である。なお、図１０では、図７と同様にバリアカバー２４を省略して示している。
以下、図７及び図１０を参照しながら、本実施形態のバリア装置の動作について説明する。
レンズ鏡筒１０が沈胴状態にあるときには、カム筒１３のバリア駆動部１３aがバリア駆動リング２１の突起部２１ａに当接し、開きバネ２６の付勢力に抗してバリア駆動リング２１をＣＷ方向に回転した状態が保持される。バリア駆動リング２１がＣＷ方向に回転した状態では、図６に示すように当接面２１ｄは、バリア主羽根２１の駆動ピン２２ｃに接触しない位置にある。よって、バリア主羽根２２は、バリア駆動リング２１から開方向の力を受けず、主羽根閉じバネ２７による閉じ方向の付勢力によって閉状態となっている。このバリア装置が閉じている状態では、図７のように、２枚のバリア主羽根２２の合わせ面２２ａがお互いに当接している。また、バリア主羽根２２の合わせ面２２ｂは、バリア副羽根２３の合わせ面２３ｂと当接している。これらも、２本の主羽根閉じバネ２７、副羽根閉じバネ２８による、バリア閉じ方向の付勢力により４枚のバリア羽根が当接し、閉状態を保っている。また、このバリア閉状態では、容易にごみが進入して開閉動作に不都合が生じたりすることを防ぐ為に、バリア装置が完全に閉状態であっても、当接しあう羽根に閉じ方向へ適度な付勢力が与えられている。
【００３５】
バリア装置が閉状態から開状態へ移行する過程においては、閉状態を保持しているカム筒１３が、鏡筒繰り出し動作に連動して回転する。これによりバリア駆動リング２１の突起部２１ａに当接しているカム筒１３のバリア駆動部１３aが突起部２１ａに当接する方向と反対方向（ＣＣＷ）に離れていく。これと共に、開きバネ２６の付勢力により、バリア駆動リング２１がバリア開き方向（ＣＣＷ）へ回転する。この時、バリア駆動リング２１の凹状の当接面２１ｄと、バリア主羽根２２の駆動ピン２２ｃが当接する。当接面２１ｄが駆動ピン２２ｃに当接すると、バリア主羽根２２は、開きバネ２６の付勢力により主羽根閉じバネ２７の付勢力に抗して回転軸１１ａを中心に開き方向へ回転する。また、バリア副羽根２３は、バリア主羽根２２の開き動作に連動して、当接面２３ｂがバリア主羽根２２の当接面２２ｂ上を滑るように追従して移動し、回転軸１１ｂを中心に開き方向へ回転する。
この時、確実に各バリア羽根が閉状態から開状態へ切り替わるように、開きバネ２６によるバリア開き方向の回転トルクが、２本の主羽根閉じバネ２７、副羽根閉じバネ２８の合力によるバリア閉じ方向の回転トルクよりも大きいことが必須である。
【００３６】
一方、バリア閉状態からバリア開状態への動作については、閉状態から開状態への動作の逆の動作である。すなわち、カム筒１３のバリア駆動部１３aがバリア駆動リング２１の突起部２１ａに当接して開きバネ２６の付勢力に抗してバリア駆動リング２１をＣＷ方向に回転させる。バリア駆動リング２１がＣＷ方向に回転すると、当接面２１ｄがバリア主羽根２１の駆動ピン２２ｃから離れる。そして、主羽根閉じバネ２７の付勢力によってバリア主羽根２１が閉じ、副羽根閉じバネ２８の付勢力によってバリア副羽根２３も主羽根閉じバネ２７に追従して閉じる。
【００３７】
ここで、本実施形態のバリア装置の開きバネ、閉じバネの回転トルクと比較するために、比較例を先に説明する。ここで説明する比較例は、本実施形態に近い形態のバリア装置であって、バリア装置が閉状態から開状態へと移行するにしたがい、閉じバネがチャージされ続ける形態である。
図１１は、比較例のバリア駆動リングの回転に伴う、開きバネ、閉じバネの回転トルク変化の一例を示す図である。
図１１に示すように、比較例では、開動作時において、バリア主羽根、バリア副羽根に掛けられる閉じ方向のバネが共にチャージされ、負荷が増大する。そして、バリア開状態において閉じバネによる閉じ方向のトルクは最大となる。
これに対し、バリア開動作を行うための開きバネは、閉じ方向のトルクに打ち勝つトルクを発生させるバネを設定しなければならず、比較的大きな力を発生させるバネが必要である。図１１に示す例では、開閉動作の全区間において閉じバネの回転トルクに打ち勝つ開きバネを設定している。開きばねの開き方向のトルクは、バリア閉状態で最大となり、バリア開状態で最小となる。したがって、バリア閉状態での、開きバネによる初期トルクＴ０は、十分に大きく設定しなければならない。
【００３８】
図１２は、本実施形態のバリア駆動リングの回転に伴う、開きバネ、閉じバネの回転トルクの変化を示す図である。
比較例に対し、本実施形態においては、バリア開状態に移行する過程において、主羽根閉じバネ２７の一端のバネ掛け部２１ｃがバリア開動作と共に回転移動する。そのため、バリア開状態で、主羽根閉じバネ２７のバネ力が増大しない。また、副羽根閉じバネ２８は引っ張られ、バネ力は増大するが、バリア副羽根２３の回転中心点、バリア主羽根２２との当接点と、それに対する副羽根閉じバネ２８の引っ張る角度の関係上、副羽根２３に与える回転トルクの増加量は少ない。そのため、図１２のように、複数の主羽根閉じバネ２７、副羽根閉じバネ２８による回転トルクの合力は、特にバリア開状態で極端に大きくならず、開閉動作中のトルクの合力は比較例に比べて平均化される。そのため、これに対抗する開きバネ２６の付勢力は、比較的小さく設定可能となっている。
【００３９】
本実施形態によれば、主羽根閉じバネ２７及び副羽根閉じバネ２８は、共通のバネ掛け部２１ｃに係合しているので、２つのバネ掛けを別々に設けるよりもスペースを効率よく利用できる。
また、主羽根閉じバネ２７及び副羽根閉じバネ２８が係合するバネ掛け部２２e、２３eは、バリア駆動リング２１に設けられたバネ掛け部２１ｃを略中央として挟むように配置され、バネ掛け部２１ｃに対して、互いにほぼ反対方向へ付勢力が働くようになっており、バネ掛け部２１ｃを比較的細い形状にできる。
さらに、バリア主羽根２２と主羽根閉じバネ２７、及び、バリア副羽根２３と副羽根閉じバネ２８は、いずれも光軸に沿った方向の位置が重なっており、光軸に対して略同一垂直面に配置されているので、光軸方向の厚みを薄くできる。
さらにまた、主羽根閉じバネ２７、副羽根閉じバネ２８がバリア主羽根２２、バリア副羽根２３よりも被写体側に設けられているので、組み立て作業を容易に行える。
その上、主羽根閉じバネ２７、副羽根閉じバネ２８は、一方が伸びるときは、他方が縮むので、開きバネ２６の付勢力を比較的小さく設定できる。
よって、本実施形態では、小型であって、信頼性が高く、かつ組み立てが容易なバリア装置とすることができ、このバリア装置を備えるレンズ鏡筒及びカメラも同様な効果を得ることができる。
【００４０】
（変形形態）
以上説明した実施形態に限定されることなく、種々の変形や変更が可能であって、それらも本発明の範囲内である。
（１）本実施形態において、バリア駆動リング２１にバネ掛け部２１ｃを設けた例を示した。しかし、複数の閉じバネを共通で係合させるバネ掛け部を、例えば、1群筒等の他の部品に設けても、上記実施形態と同様にスペースを有効に利用することができる。
【００４１】
（２）本実施形態において、デジタルカメラを例に挙げて説明したが、これに限らず、例えば、フィルムカメラであってもよいし、ビデオカメラであってもよいし、監視カメラなど、他の種類の撮像装置であってもよい。
【００４２】
（３）本実施形態において、開きバネ及び各閉じバネには、引っ張りコイルスプリングを用いた例を示した。しかし、これに限らず、例えば、圧縮コイルスプリングを用いてもよいし、ねじりコイルスプリング等の他の形態の付勢部材を用いてもよい。
【００４３】
なお、実施形態と変形形態は、適宜組み合わせて用いることもできるが、詳細な説明は省略する。また、本発明は以上説明した各実施形態によって限定されることはない。
【図面の簡単な説明】
【００４４】
【図１】本発明によるバリア装置を有したレンズ鏡筒を含むカメラの実施形態を示す図である。
【図２】レンズ鏡筒１０の構成の概略を示す分解斜視図である。
【図３】１群筒１１及びそれに備えられたバリア装置の構成を示す図である。
【図４】バリア駆動リング２１の形状を詳細に示した図である。
【図５】バリア駆動リング２１のバネ掛け部２１ｃの形状を詳細に示した断面図である。
【図６】バリア羽根回転軸近傍の詳細図である。
【図７】バリア装置が閉じている状態を示す図である。
【図８】バリア装置が閉じている状態でバリア主羽根２２及びバリア副羽根２３を拡大して示した斜視図である。
【図９】図７中に矢印で示したＢ−Ｂ断面図である。
【図１０】バリア装置が開いている状態を示す図である。
【図１１】比較例のバリア駆動リングの回転に伴う、開きバネ、閉じバネの回転トルク変化の一例を示す図である。
【図１２】本実施形態のバリア駆動リングの回転に伴う、開きバネ、閉じバネの回転トルクの変化を示す図である。
【符号の説明】
【００４５】
１    カメラボディ
１０  レンズ鏡筒
１１  １群筒
１２  ２群レンズホルダ
１３  カム筒
１４  直進ガイド筒
１５  駆動筒
１６  固定筒
２１  バリア駆動リング
２２  バリア主羽根
２３  バリア副羽根
２４  バリアカバー
２５  １群レンズ
２６  開きバネ
２７  主羽根閉じバネ
２８  副羽根閉じバネ
【図１】
0005328233.tif 000002
【図２】
0005328233.tif 000003
【図３】
0005328233.tif 000004
【図４】
0005328233.tif 000005
【図５】
0005328233.tif 000006
【図６】
0005328233.tif 000007
【図７】
0005328233.tif 000008
【図８】
0005328233.tif 000009
【図９】
0005328233.tif 000010
【図１０】
0005328233.tif 000011
【図１１】
0005328233.tif 000012
【図１２】
0005328233.tif 000013